(57)【要約】【課題】商品収容室の内部で生じた水分を外部に良好に排出することができる自動販売機を提供すること。【解決手段】前面に開口を有する本体キャビネット１０と、この内壁面１１ａ〜１１ｅに配設された断熱部材３１ａ〜３１ｅにより内面が形成された商品収容室３０と、本体キャビネット１０の底壁面１１ｂに配設された断熱部材３１ｂの上面を覆う態様で配置され、かつ商品収容室３０の内部で生じた水分を外部に排出するための排水通路３６ａ，３６ｂ，３６ｃを備えた底板部材３２とを備えた自動販売機において、本体キャビネット１０の側壁面１１ｄ，１１ｅに配設された断熱部材３１ｄ，３１ｅおよび背壁面１１ｃに配設された断熱部材３１ｃの少なくとも一つは、その底部に内方に開口する切欠部３１１ｃ，３１１ｄ，３１１ｅが形成され、底板部材３２の端部を該切欠部に進入させて、該底板部材３２を上方への移動を規制した状態で配置したものである。【選択図】        図１
2005078219.tif 000002
【特許請求の範囲】
【請求項１】
前面に開口を有する自動販売機本体と、
前記自動販売機本体の内壁面に配設された断熱部材により内面が形成された商品収容室と、
前記自動販売機本体の底壁面に配設された断熱部材の上面を覆う態様で配置され、かつ前記商品収容室の内部で生じた水分を外部に排出するための排水通路を備えた底板部材と
を備えた自動販売機において、
前記自動販売機本体の側壁面に配設された断熱部材および背壁面に配設された断熱部材の少なくとも一つは、その底部に内方に開口する切欠部が形成され、
前記底板部材の端部を前記切欠部に進入させて、該底板部材を上方への移動を規制した状態で配置したことを特徴とする自動販売機。
【請求項２】
前記切欠部は、その開口の上方側が覆われた態様で形成されたことを特徴とする請求項１に記載の自動販売機。
【発明の詳細な説明】
【技術分野】
【０００１】
本発明は、例えば缶入り飲料、瓶入り飲料、紙パック入り飲料およびペットボトル入り飲料等の各種商品を冷却した状態、あるいは加温した状態で販売する自動販売機に関し、より詳細には、商品を収容するための商品収容室の構造に工夫を施した自動販売機に関する。
【背景技術】
【０００２】
近年、例えば缶入り飲料、瓶入り飲料、紙パック入り飲料およびペットボトル入り飲料等の各種商品を販売する自動販売機として、内箱が存在しないで商品を収容するための商品収容室が形成された自動販売機が知られている。
【０００３】
この種の自動販売機は、前面に開口を有する自動販売機本体の内壁面に、それぞれの面方向に沿って配設された断熱部材により内面が形成され、該自動販売機本体の底壁面に配設された断熱部材の上面（内表面）を覆う態様で底板部材が配置された商品収容室を備えている（例えば、特許文献１）。
【０００４】
図６は、この種の自動販売機における商品収容室の一例を簡略的に示した分解斜視図である。この図６に示したように、商品収容室３００は、自動販売機本体である本体キャビネット１００の内部において、天井部、底部、背面部および両側部がパネル状の断熱部材３１０ａ〜３１０ｅにより囲繞され、底部にある断熱部材３１０ｂの上面を覆う態様で板金から成る底板部材３２０が配置されて形成されている。この商品収容室３００は、本体キャビネット１００と同様に前面に開口を有している。商品収容室３００の前面開口は、該前面開口を覆うのに十分な大きさを有し、かつ断熱構造を有する内扉（図示せず）により開閉可能になっている。底板部材３２０には、室内で発生した水分を室外へ排出するための排水通路３６０ａ，３６０ｂ，３６０ｃがプレス加工等により形成されている。この底板部材３２０は、底部にある断熱部材３１０ｂを保護するための保護部材として、あるいは室内に様々な部品を取り付けるためのベース部材としての種々の機能を果たすものである。
【０００５】
このような商品収容室３００は、例えば二つの断熱仕切板４１０，４２０を前面開口から進入させて仕切ることにより、三つの商品収容庫（図示せず）が並設されている。これら商品収容庫は、商品を決められた温度状態に保持して収容するものであり、収容された商品を冷却するための商品冷却庫として、あるいは収容された商品を加温するための商品加温庫として運転される。
【０００６】
【特許文献１】特開２０００−１６３６３９号公報
【発明の開示】
【発明が解決しようとする課題】
【０００７】
ところが、上記自動販売機では、底板部材３２０が底部にある断熱部材３１０ｂの上面を覆う態様で配置されているだけなので、図７および図８に示したように、背面部にある断熱部材（以下、背面側断熱部材ともいう）３１０ｃの内表面と底板部材３２０との間、あるいは両側部にある断熱部材（以下、側面側断熱部材ともいう）３１０ｄ，３１０ｅの内表面と底板部材３２０との間に、間隙が生じている場合があった。このような間隙が生じていると、商品収容室（商品収容庫）３００の内部で生じた水分、すなわち背面側断熱部材３１０ｃおよび側面側断熱部材３１０ｄ，３１０ｅのいずれかの内表面で生じた露が、上記間隙に流れてしまい、底板部材３２０に流れなくなる結果、該水分を商品収容室３００の外部に排出することが困難であった。
【０００８】
本発明は、上記実情に鑑みて、商品収容室の内部で生じた水分を外部に良好に排出することができる自動販売機を提供することを目的とする。
【課題を解決するための手段】
【０００９】
上記目的を達成するために、本発明の請求項１に係る自動販売機は、前面に開口を有する自動販売機本体と、前記自動販売機本体の内壁面に配設された断熱部材により内面が形成された商品収容室と、前記自動販売機本体の底壁面に配設された断熱部材の上面を覆う態様で配置され、かつ前記商品収容室の内部で生じた水分を外部に排出するための排水通路を備えた底板部材とを備えた自動販売機において、前記自動販売機本体の側壁面に配設された断熱部材および背壁面に配設された断熱部材の少なくとも一つは、その底部に内方に開口する切欠部が形成され、前記底板部材の端部を前記切欠部に進入させて、該底板部材を上方への移動を規制した状態で配置したことを特徴とする。
【００１０】
また、本発明の請求項２に係る自動販売機は、上記請求項１において、前記切欠部は、その開口の上方側が覆われた態様で形成されたことを特徴とする。
【発明の効果】
【００１１】
本発明の請求項１に記載の自動販売機によれば、底板部材の端部を切欠部に進入させて、該底板部材を上方への移動を規制した状態で配置してあるので、自動販売機本体の背壁面に配設された断熱部材および側壁面に配設された断熱部材のいずれかの内表面で生じた露を良好に底板部材に導くことができる。底板部材に導かれた水分は排水通路を通じて商品収容室の外部に排出されることになる。従って、商品収容室の内部で生じた水分を外部に良好に排出することができるという効果を奏する。
【００１２】
本発明の請求項２に記載の自動販売機によれば、切欠部は、その開口の上方側が覆われた態様で形成されているので、自動販売機本体の背壁面に配設された断熱部材および側壁面に配設された断熱部材のいずれかの内表面で生じた露を底板部材に確実に導くことができ、これにより、商品収容室の内部で生じた水分を外部に良好に排出することができるという効果を奏する。
【発明を実施するための最良の形態】
【００１３】
以下に添付図面を参照して、本発明に係る自動販売機の好適な実施例について詳細に説明する。尚、この実施例により本発明が限定されるものではない。
【実施例】
【００１４】
図１〜図３は、本発明の実施例に係る自動販売機の要部を簡略的に示したものであり、図１は分解斜視図であり、図２は前面断面図であり、図３は側断面図である。尚、上述の図６と同一の構成を有するものには同一の符号を付してその説明を省略する。これら図１〜図３において、自動販売機は、本体キャビネット（自動販売機本体）１０と、外扉２０と、商品収容室３０とを備えて構成してある。
【００１５】
本体キャビネット１０は、前面が開口した直方状の形態を有し、例えば板金から形成したものである。この本体キャビネット１０には、大きさの異なる二つの直方状の凹部が形成してある。これら凹部のうち、上方側の第一凹部１１は、詳細は後述するが、商品収容室３０を形成するための領域であり、下方側の第二凹部１２は、コンプレッサー等を配置するための機械室を形成するための領域である。
【００１６】
外扉２０は、本体キャビネット１０の前面開口を覆うに十分な大きさを有したもので、鋼材により堅牢に形成してある。この外扉２０は、本体キャビネット１０の前面開口を開閉可能にする態様で該本体キャビネット１０の前面の一側に支承してある。また、図には明示していないが、外扉２０の表面側には、商品見本を展示する展示室と、展示した商品を選択する選択ボタンと、硬貨を投入する硬貨投入口と、紙幣を投入する紙幣投入口と、商品を取り出すための商品取出口と、硬貨を返却する硬貨返却口とが配設してある。更に、外扉２０の裏面側には、自動販売機を制御する制御基板と、硬貨投入口から硬貨を受け入れて釣銭を硬貨返却口に放出する硬貨処理装置と、紙幣投入口から紙幣を受け入れる紙幣処理装置とが配設してある。
【００１７】
商品収容室３０は、その内部に商品を収容するためのものであり、本体キャビネット１０の内部に設けてある。より詳細に説明すると、商品収容室３０は、複数の断熱部材３１ａ〜３１ｅと、底板部材３２とを備えて構成してある。
【００１８】
複数の断熱部材３１ａ〜３１ｅは、それぞれパネル状の形状を有しており、例えばウレタン樹脂等の発泡体を基材として、この基材の表面にポリエチレンテレフタレート（ＰＥＴ）等の表面材が形成されたものである。これら複数の断熱部材３１ａ〜３１ｅは、本体キャビネット１０の第一凹部１１の内壁面に、それぞれの面方向に沿って配設してある。具体的に説明すると、断熱部材３１ａは、第一凹部１１の天井壁面１１ａに沿って配設してあり、断熱部材３１ｂは、第一凹部１１の底壁面１１ａにその面方向に沿って配設してあり、断熱部材３１ｃは、第一凹部１１の背壁面１１ｃにその面方向に沿って配設してあり、断熱部材３１ｄは、第一凹部１１の左側壁面１１ｄにその面方向に沿って配設してあり、断熱部材３１ｅは、第一凹部１１の右側壁面１１ｅにその面方向に沿って配設してある。各断熱部材間の相互接合部位は、例えばシリコーン樹脂等のシール材で接合してある。このように、商品収容室３０は、本体キャビネット１０（第一凹部１１）の内部において、第一凹部１１の形状に対応して直方状の形状を有し、天井部、底部、背面部および両側部が断熱部材３１ａ〜３１ｅにより囲繞されて内面が形成してある。
【００１９】
背面部にある断熱部材、すなわち第一凹部１１の背壁面１１ｃに配設した断熱部材（以下、背面側断熱部材ともいう）３１ｃには、その底部に内方に開口する切欠部３１１ｃが該背面側断熱部材３１ｃの幅方向に沿って形成してある。切欠部３１１ｃの高さは、底板部材３２の背面側の高さに対応する大きさにしてある。また、背面側断熱部材３１ｃには、図４に示したように、その内方の表面材の一部を残して切欠部３１１ｃに突出する突出部３１２ｃを形成してある。これにより、切欠部３１１ｃは、突出部３１２ｃにより開口の上方側が覆われた態様で形成してある。
【００２０】
両側部にある断熱部材、すなわち第一凹部１１の左側側壁面１１ｄに配設した断熱部材３１ｄおよび第一凹部１１の右側側壁面１１ｅに配設した断熱部材３１ｅ（以下、これらを総じて側面側断熱部材３１ｄ，３１ｅともいう）には、それぞれの底部に内方に開口する切欠部３１１ｄ，３１１ｅが該側面側断熱部材３１ｄ，３１ｅの幅方向に沿って形成してある。切欠部３１１ｄ，３１１ｅの高さは、底板部材３２の側面側の高さに対応する大きさにしてある。また、側面側断熱部材３１ｄ，３１ｅには、図５に示したように、それぞれの内方の表面材の一部を残して切欠部３１１ｄ，３１１ｅに突出する突出部３１２ｄ，３１２ｅを形成してある。これにより、切欠部３１１ｄ，３１１ｅは、突出部３１２ｄ，３１２ｅにより開口の上方側が覆われた態様で形成してある。
【００２１】
底板部材３２は、板金から形成されたものであり、本体キャビネット１０（第一凹部１１）の底壁面１１ｂに配設した断熱部材３１ｂの上面を覆う態様で配置してある。この底板部材３２についての説明は、後述することにする。
【００２２】
このような商品収容室３０は、本体キャビネット１０（第一凹部１１）と同様に前面に開口を有している。また、本体キャビネット１０の前面部の一側には、外扉２０とは別体にした内扉２１が設けてある。内扉２１は、商品収容室３０の前面開口を覆うに十分な大きさであり断熱構造を有している。
【００２３】
また、商品収容室３０には、例えば二つの断熱仕切板４１，４２を前面開口から進入させて仕切ることにより、三つの商品収容庫３３ａ，３３ｂ，３３ｃが並設される。これら商品収容庫３３ａ，３３ｂ，３３ｃは、商品を決められた温度状態に保持して収容するものであり、収容された商品を冷却するための商品冷却庫として、あるいは収容された商品を加温するための商品加温庫として運転される。本実施例においては、左側商品収容庫３３ａおよび右側商品収容庫３３ｃを商品冷却庫として、中央商品収容庫３３ｂを商品加温庫として説明する。
【００２４】
ここで、上述した底板部材３２について説明する。底板部材３２は、商品冷却庫３３ａ，３３ｃを構成する部分３２ａ，３２ｃと、商品加温庫５ｂを構成する部分３２ｂとを分割して、それぞれを別体にしてあり、それぞれの構成部分間に間隙３４ａ，３４ｂが設けてある。これら間隙３４ａ，３４ｂに上記断熱仕切板４１，４２を進入させて商品収容室３０を仕切ることにより、上記商品収容庫３３ａ，３３ｂ，３３ｃが形成されることになる。この底板部材３２において、構成部分３２ａ，３２ｂ，３２ｃのそれぞれの背面部には切り起し部３５ａ，３５ｂ，３５ｃが形成してあり、構成部分３２ａの左側部には切り起し部３５ｄが形成してあり、構成部分３２ｃの右側部には切り起し部３５ｅが形成してある。また、底板部材３２において、構成部分３２ａ，３２ｂ，３２ｃには、商品収容庫３３ａ，３３ｂ，３３ｃの内部で発生した水分を商品収容庫３３ａ，３３ｂ，３３ｃの外部へ排出するための排水通路３６ａ，３６ｂ，３６ｃがプレス加工等により形成してある。
【００２５】
そして、上記自動販売機においては、底板部材３２の端部を対応する切欠部３１１ｃ，３１１ｄ，３１１ｅに進入させて、該底板部材３２を上方への移動を規制した状態で配置してある。より詳細に説明すると、図４および図５に示したように、底板部材３２の背面部を切欠部３１１ｃに進入させ、該底板部材３２の左側部を切欠部３１１ｄに進入させ、該底板部材３２の右側部を切欠部３１１ｅに進入させて、該底板部材３２を上方への移動を規制した状態で配置してある。さらに換言すると、底板部材３２は、その切り起し部３５ａ，３５ｂ，３５ｃが切欠部３１１ｃの上面に接し、その切り起し部３５ｄ，３５ｅが切欠部３１１ｄ，３１１ｅの上面に接した状態で配置してある。
【００２６】
以上のような構成を有する自動販売機によれば、底板部材３２の端部を対応する切欠部３１１ｃ，３１１ｄ，３１１ｅに進入させて、該底板部材３２を上方への移動を規制した状態で配置してあるので、背面側断熱部材３１ｃおよび側面側断熱部材３１ｄ，３１ｅのいずれかの内表面で生じた露を良好に底板部材３２に導くことができる。特に、切欠部３１１ｃは、突出部３１２ｃにより開口の上方側が覆われた態様で形成してあるので、背面側断熱部材３１ｃの内表面で生じた露を突出部３１２ｃから水滴として底板部材３２に確実に導くことができる。また、切欠部３１１ｄ，３１１ｅは、突出部３１２ｄ，３１２ｅにより開口の上方側が覆われた態様で形成してあるので、側面側断熱部材３１ｄ，３１ｅの内表面で生じた露を突出部３１２ｄ，３１２ｅから水滴として底板部材３２に確実に導くことができる。これにより、底板部材３２に導かれた水分は排水通路３６ａ，３６ｂ，３６ｃを通じて商品収容室３０の外部に排出される。従って、商品収容室３０の内部で生じた水分を外部に良好に排出することができる。
【００２７】
また、上記自動販売機によれば、底板部材３２が、商品冷却庫３３ａ，３３ｃを構成する部分３２ａ，３２ｃと、商品加温庫３３ｂを構成する部分３２ｂとを分割してそれぞれを別体にしてあるため、商品冷却庫３３ａ，３３ｃと商品加温庫３３ｂとの間における熱移動を確実に遮断することができる。そのため、商品冷却庫３３ａ，３３ｃでの冷却熱のロスおよび商品加温庫３３ｂでの加温熱のロスが生じる虞れがなく、商品冷却庫３３ａ，３３ｃでの冷却運転に要する電力と、商品加温庫３３ｂの加温運転に要する電力が必要最小限にすることができる。従って、自動販売機全体での消費電力量の低減を図ることができる。
【００２８】
以上、本発明の実施例について詳細に説明したが、本発明はこれに限定されるものではなく、種々の変更を行うことができる。例えば、上述の実施例においては、背面側断熱部材３１ｃおよび側面側断熱部材３１ｄ，３１ｅのそれぞれに切欠部３１１ｃ，３１１ｄ，３１１ｅを形成したが、本発明では、背面側断熱部材および側面側断熱部材のいずれかに切欠部を形成すればよく、背面側断熱部材および側面側断熱部材のすべてに切欠部を形成しなくても良い。また、上述の実施例においては、底板部材３２は、商品冷却庫３３ａ，３３ｃを構成する部分３２ａ，３２ｃと、商品加温庫３３ｂを構成する部分３２ｂとを分割してそれぞれを別体にしてあったが、本発明では、これら各構成部分が一体となった底板部材でも良く、これによっても上述の実施例と同様の作用効果を奏することができる。
【産業上の利用可能性】
【００２９】
以上のように、本発明に係る自動販売機は、例えば缶入り飲料、瓶入り飲料、紙パック入り飲料およびペットボトル入り飲料等の各種商品を冷却した状態、あるいは加温した状態で販売に有用である。
【図面の簡単な説明】
【００３０】
【図１】本発明の実施例に係る自動販売機の要部を簡略的に示した分解斜視図である。
【図２】本発明の実施例に係る自動販売機の要部を簡略的に示した前面断面図である。
【図３】本発明の実施例に係る自動販売機の要部を簡略的に示した側断面図である。
【図４】図３における自動販売機の一部を拡大して示した拡大断面側面図である。
【図５】図２における自動販売機の一部を拡大して示した拡大断面側面図である。
【図６】従来の自動販売機における商品収容室の一例を簡略的に示した斜視図である。
【図７】従来の自動販売機の一部を拡大して示した拡大断面側面図である。
【図８】従来の自動販売機の一部を拡大して示した拡大断面側面図である。
【符号の説明】
【００３１】
１０    本体キャビネット
１１    第一凹部
１２    第二凹部
２０    外扉
３０    商品収容室
３１ａ〜３１ｅ    断熱部材
３１１ｃ，３１１ｄ，３１１ｅ    切欠部
３１２ｃ，３１２ｄ，３１２ｅ    突出部
３２    底板部材
３２ａ，３２ｂ，３２ｃ    構成部分
３３ａ，３３ｂ，３３ｃ    商品収容庫
３４ａ，３４ｂ    間隙
３５ａ、３５ｂ，３５ｃ，３５ｄ，３５ｅ    切り起し部
３６ａ，３６ｂ，３６ｃ    排水通路
４１，４２    断熱仕切板
【図１】
2005078219.tif 000003
【図２】
2005078219.tif 000004
【図３】
2005078219.tif 000005
【図４】
2005078219.tif 000006
【図５】
2005078219.tif 000007
【図６】
2005078219.tif 000008
【図７】
2005078219.tif 000009
【図８】
2005078219.tif 000010